(57)【要約】【課題】  本発明は、カレンダーのフォーマット情報を持つサーバーであり、デザイナーがネットワークを介してサーバーにデザインを応募する機能と、登録されたカレンダーのデザインを含むカレンダー情報を見た消費者がネットワークを介してカレンダーを発注する機能を有することを目的とする。【解決手段】カレンダーのフォーマット情報を持つサーバーであり、デザイナーがネットワークを介して直接サーバーにカレンダーのデザインを応募する機能、及び登録されたカレンダーのデザインを含むカレンダー情報を消費者に送信し、消費者がカレンダーを発注する機能を有することを特徴とするサーバーに関するものである。【選択図】    図１
2005092292.tif 000002
【特許請求の範囲】
【請求項１】
カレンダーのフォーマット情報を持つサーバーでデザイナーがカレンダーのデザインを応募する機能と、消費者が前記フォーマット情報あるいは前記デザインを見て発注する機能を有するサーバー。
【請求項２】
カレンダーのフォーマット情報を持つサーバーでデザイナーがカレンダーのデザインを応募する機能と、消費者が前記フォーマット情報あるいは前記デザインを見てカレンダーを選び、且つ、消費者からの書き込みを入れて発注する機能を有するサーバー。
【請求項３】
カレンダーのフォーマット情報を持つサーバーでデザイナーがカレンダーの絵柄部分のデザインと暦部分のデザインを個別に応募する機能と、消費者が前記フォーマット情報あるいは前記絵柄部分のデザイン及び暦部分のデザインを見て発注する機能を有するサーバー。
【請求項４】
カレンダーのフォーマット情報を持つサーバーでデザイナーがカレンダーの絵柄部分のデザインと暦部分のデザインを個別に応募する機能と、消費者が前記フォーマット情報あるいは前記絵柄部分のデザイン及び暦部分のデザインを見て絵柄部分のデザインと暦部分のデザインを個別に選択し組合せ、且つ、消費者からの書き込みを入れて発注する機能を有するサーバー。
【発明の詳細な説明】
【技術分野】
【０００１】
本発明は、ネットワークで行うカレンダーのデザイン応募及びカレンダーの発注サーバーに関する。
【背景技術】
【０００２】
カレンダーの発注サーバーに関するものは、特許文献１から既知である。これは、個別端末とネットワークを介して接続可能な団体端末とネットワークを介して接続可能なカレンダーの発注サーバーであり、前記個別端末及び団体端末を介して団体端末へカレンダー情報を送信し、個別端末から入力された購入情報、個人情報を含む個別端末から入力された購入情報、個人情報を含む従購入情報と団体端末で従購入情報に関連付けられた団体番号を含む主購入情報受信し、主購入情報に受注番号を関連付けた受注情報を記憶部へ記憶することを特徴とするカレンダーの発注サーバーである。
【０００３】
従来、オリジナルのカレンダーの絵柄部分や暦部分は自分でデザインするか、もしくはデザイナーのもとに出向いてデザインを依頼していた。
【０００４】
消費者はカレンダーを購入する際、一般的に、カタログ等によりカレンダー情報を入手し、発注書を用いて購入する方法、あるいは、販売店に出向いて直接購入する方法を用いていた。
【特許文献１】特開２００３−１５０８５９号公報
【発明の開示】
【発明が解決しようとする課題】
【０００５】
本発明は、カレンダーのフォーマット情報を持つサーバーであり、デザイナー（写真家等を含む）がネットワークを介してサーバーにデザインを応募する機能と、登録されたカレンダーのデザインを含むカレンダー情報を見た消費者がネットワークを介してカレンダーを発注する機能を有することを目的とする。
【０００６】
本発明においてネットワークとは、有線、無線、構内ＬＡＮ、衛星回線、インターネット、電話回線等のネットワーク全てを対象とする。
【０００７】
特許文献１によるカレンダーの発注サーバーは、カレンダーを購入するためのものであり、消費者は販売店で得られるカレンダー情報より豊富な情報を得た上でカレンダーを購入することが可能である。しかし、前記カレンダーの発注サーバーはデザイナーが創作し応募したデザインを登録するものではない。したがって、デザイナーが創作し応募したデザインをネットワークで登録しようとする場合は、カレンダーのデザインをサーバーに登録する機能、及び、必要に応じて消費者に提供するために情報を処理する機能が別途必要となる。
【０００８】
また、オリジナルのカレンダーを自分でデザインするか、もしくはデザイナーのもとに出向いてデザインを依頼する方法を用いて直接デザイナーにデザインを依頼する場合、特にまとまった数のデザインを用意する必要がある場合は手間、時間、及び費用がかかる。
【０００９】
更に、販売用の新しいカレンダーのカタログを作成する場合は、そのカタログの作成には時間を要し、新しいデザインのカレンダーを即座に見るというわけにはいかない。また、販売店に出向いて直接購入する方法では、販売店によって販売されているカレンダーの
種類や数量が異なり、カレンダー全種類を見ることは困難な場合がある。
【課題を解決するための手段】
【００１０】
請求項１に掛かる本発明の課題解決手段は、カレンダーのフォーマット情報を持つサーバーであり、デザイナーがネットワークを介して直接サーバーにカレンダーのデザインを応募する機能、及び登録されたカレンダーのデザインを含むカレンダー情報を消費者に送信し、消費者がカレンダーを発注する機能を有することを特徴とするサーバーに関するものである。
【００１１】
請求項２に掛かる本発明の課題解決手段は、カレンダーのフォーマット情報を持つサーバーであり、デザイナーがネットワークを介して直接サーバーにカレンダーのデザインを応募する機能、及び登録されたカレンダーのデザインを含むカレンダー情報を消費者に送信し、消費者がネットワークを介して直接サーバーにカレンダーを発注する機能を有することを特徴とするサーバーに関するものである。
【００１２】
請求項３に掛かる本発明の課題解決手段は、カレンダーのフォーマット情報を持つサーバーであり、デザイナーがネットワークを介して直接サーバーにカレンダーの絵柄部分のデザイン及びカレンダーの暦部分のデザインを個別に応募する機能、及び、登録されたカレンダーの絵柄部分のデザイン及びカレンダーの暦部分のデザインを含むカレンダー情報を消費者に送信し、消費者が前記カレンダー情報によりカレンダーを選択し、且つネットワークを介して書き込みをしてカレンダーを発注する機能を有することを特徴とするサーバーに関するものである。
【００１３】
請求項４に掛かる本発明の課題解決手段は、カレンダーのフォーマット情報を持つサーバーであり、デザイナーがネットワークを介して直接サーバーにカレンダーの絵柄部分のデザイン及びカレンダーの暦部分のデザインを個別に応募する機能、及び登録されたカレンダーの絵柄部分のデザイン及びカレンダーの暦部分のデザインを含むカレンダー情報を消費者に送信し、消費者がそれを見てカレンダーの絵柄部分のデザインとカレンダーの暦部分のデザインを個別に選択して組合せ、且つネットワークを介して書き込みをして消費者がカレンダーを発注する機能を有することを特徴とするサーバーに関するものである。
【発明の効果】
【００１４】
請求項１乃至４の効果は、第１にネットワークを介してデザイナーが登録したカレンダーのデザイン情報を、カレンダーを製造するための情報、及び消費者がカレンダーを購入するための情報として利用することが可能となることである。
【００１５】
第２にカタログの作成や、製品の販売店への出荷には時間がかかり、消費者の目に触れるまでにタイムロスがあったが、本発明において消費者はデザインがサーバーに登録されると、即座にその新しいデザインを見ることが可能となる。
【００１６】
請求項２及び４の効果は、消費者がネットワークを介して自分でカレンダーを選択することが可能であり、また書き込みを加えてカレンダーを発注することが可能であるということである。
【００１７】
請求項３及び４の効果は、デザイナーがカレンダーのデザインを応募する際に、カレンダーの絵柄部分のデザインとカレンダーの暦部分のデザインを個別に応募することができるということである。
【００１８】
請求項４の効果は、消費者がネットワークを介して、絵柄部分・暦部分のデザインを自分で好きなように組み合わせた独自のカレンダーを手軽に発注できることである。
【発明を実施するための最良の形態】
【００１９】
以下、本発明の実施について図面により説明する。
【００２０】
本発明では、図１のようにサーバー１、デザイナー端末２、及び消費者端末３がネットワーク４を介して接続される。ここで、本発明におけるデザイナー端末２とは、デザイナーがサーバー１と情報の送受信を行うためのネットワークを介して接続可能な端末のことである。また、本発明における消費者端末３とは、消費者がサーバー１と情報の送受信を行うためのネットワークを介して接続可能な端末のことである。
【００２１】
サーバー１にはカレンダーのフォーマット情報及びカレンダーのデザイン募集情報を含む情報が蓄積されている。サーバー１に蓄積される情報には、例えばデザイナーや消費者に関する情報が含まれていても良い。また、サーバー１に収集した情報及び送信する情報を処理する機能が付与されていても良い。
【００２２】
図２における実施の流れでは、まずサーバー１により、デザイナーがカレンダーのデザイン情報を応募し、且つ消費者が登録されたデザインを見ることが可能なサイトを運用する（Ｓ１）。
【００２３】
デザイナーはデザイナー端末２から随時サイトにアクセスし（Ｓ２）、カレンダーのデザイン募集情報を得て（Ｓ３）創作したデザインをサイトに応募する（Ｓ４）。消費者がデザイナーとしてサイトにアクセスし、カレンダーのデザインを応募しても良い。
【００２４】
本発明においてカレンダーのデザイン募集情報とは、デザイナーがカレンダーのデザインを応募するための情報であり、例えば募集するデザインの概要、応募条件等の募集要項がある。カレンダーのデザイン募集情報は、サイトでの表示あるいはメールでの送信等のオンラインによるものに限らず、口頭あるいは書面等のオフラインによる伝達手段を用いても良い。
【００２５】
カレンダーのデザイン部分の例を図３に示す。本発明における絵柄部分５とは、イラスト、写真等表現手段を問わず、カレンダーの暦部分を除く部分のことである。本発明における暦部分６とは、年月日を含む日付情報、あるいは日付情報以外の文字情報が記載されている部分のことであり、例えば行事や事業者名が記載されていても良い。デザイナーは絵柄部分５及び暦部分６を合わせたもの、即ちカレンダー全体のデザインを応募しても良いし、あるいはカレンダーの絵柄部分５のみ、暦部分６のみのデザインを個別に応募しても良い。
【００２６】
応募されたデザイン情報はサーバー１によりカレンダーのデザイン情報として蓄積される。サーバー１により、蓄積されたカレンダーのデザイン情報が如何なる処理をされるか、あるいは処理されないかは問わない。
【００２７】
消費者は消費者端末３から随時サイトにアクセスし（Ｓ５）、カレンダー情報を得て（Ｓ６）好みのカレンダーを選択する。但し、カレンダーのデザインやフォーマットの選択形式は問わず、選択肢は１つでも複数でも良い。本発明においてカレンダー情報とは、消費者がカレンダーを購入する際に必要とする情報であり、例えばカレンダーのデザイン、サイズ、価格等の情報である。カレンダー情報をダウンロードするか、それともサイトを見るか等の入手手段は問わない。購入するカレンダーが決まったら、サイトでカレンダーを発注する（Ｓ７）。デザイナーが消費者としてサイトにアクセスし、カレンダーを発注しても良い。
【００２８】
サーバ１は消費者からのカレンダーの発注情報を受信し、受注情報として処理する。
【産業上の利用可能性】
【００２９】
本発明は、ネットワークで行うカレンダーのデザイン応募及びカレンダーの発注に関する。
【図面の簡単な説明】
【００３０】
【図１】サーバーが運用され、消費者端末、デザイナー端末がネットワークを介してサーバーにアクセスすることを示す図である。
【図２】本発明によるサーバー・デザイナー端末間及びサーバー・消費者端末間における情報の流れを示す図である。
【図３】カレンダーのデザイン対象部分を示す図である。
【符号の説明】
【００３１】
１  ・・・  サーバー
２  ・・・  デザイナー端末
３  ・・・  消費者端末
４  ・・・  ネットワーク
５  ・・・  絵柄部分
６  ・・・  暦部分
【図１】
2005092292.tif 000003
【図２】
2005092292.tif 000004
【図３】
2005092292.tif 000005